【事件の表示】
　特願２０１９−１１００７０「コンテンツ視聴のための装置および方法、並びにコンテンツ視聴動作をコンピュータに制御させるコンピュータ・プログラム」拒絶査定不服審判事件〔令和　１年１１月１４日出願公開、特開２０１９−１９７５５４〕について、次のとおり審決する。
【結　論】
　本件審判の請求は、成り立たない。
【理　由】
第１　手続の経緯
　本願は，平成２７年２月１２日に出願した特願２０１５−２５４６９号の一部を平成２７年４月３０日に新たな特許出願とした特願２０１５−９２７０２号の一部を令和元年６月１３日に新たな特許出願としたものであって，その手続の経緯は以下のとおりである。
　令和２年　２月２８日付け：拒絶理由通知
　令和２年　３月１７日　　：意見書・手続補正書　提出
　令和２年　４月　２日付け：拒絶査定
　令和２年　５月１３日　　：審判請求，手続補正書　提出
第２　令和２年　５月１３日の手続補正についての補正却下の決定
［補正却下の決定の結論］
　令和２年　５月１３日にされた手続補正を却下する。
［補正却下の理由］
１．手続補正の内容
　令和２年　５月１３日の手続補正（以下，「本件補正」という）により，特許請求の範囲の請求項１の記載は，本件補正前の（１）のとおりの記載から，本件補正後の（２）のとおりの記載に補正された（下線は補正により変更された部分を示す）。
（１）本件補正前の請求項１
　本件補正前の特許請求の範囲の請求項１は，令和２年３月１７日の手続補正により補正された特許請求の範囲の請求項１に記載された以下のとおりのものである。
「【請求項１】
　３次元仮想空間に配置された複数のコンテンツを，ユーザの頭部に装着された非透過型のヘッドマウント・ディスプレイに表示するステップと，
　前記ユーザの頭部の動きに応じて，前記複数のコンテンツの内１つを選択するステップと，
　前記選択されたコンテンツを，オーディオ出力を有効化して再生するステップと，
をコンピュータに実行させ，
　前記複数のコンテンツの内選択されていないコンテンツは，オーディオ出力の再生が制限されており，
　前記複数のコンテンツは，少なくとも２以上のコンテンツの全体が前記ヘッドマウント・ディスプレイに表示できるように前記３次元仮想空間に配置されている，プログラム。」
（２）本件補正後の請求項１
「【請求項１】
　３次元仮想空間に配置された複数のコンテンツを，ユーザの頭部に装着された
非透過型の
　前記ユーザの頭部の動きに応じて，前記複数のコンテンツの内１つを選択するステップと，
　前記選択されたコンテンツを，オーディオ出力を有効化して再生するステップと，
をコンピュータに実行させ，
　前記複数のコンテンツの内選択されていないコンテンツは，オーディオ出力の再生が制限されており，
　前記複数のコンテンツは，少なくとも２以上のコンテンツの全体が前記ヘッドマウント・ディスプレイに表示できるように前記３次元仮想空間に配置されている，プログラム。」
２．補正の適否
（１）本件補正の目的
　この補正は，本件補正前の請求項１に記載した発明を特定するために必要な事項である「ヘッドマウント・ディスプレイ」について，「
非透過型の
　そこで，本件補正後の請求項１に係る発明（以下，「本件補正発明」という）が特許法第１７条の２第６項において準用する同法第１２６条第７項に規定された特許出願の際独立して特許を受けられるものであるか否かについて以下検討する。
（２）独立特許要件についての判断
ア　本件補正発明
　本件補正発明は，上記１．（２）の記載により特定されるとおりのものである。
イ　引用発明
　原査定の拒絶の理由で引用された本願の出願日前に頒布された刊行物である国際公開第２０１４／１８２１０９号（以下，「引用文献１」という）には，図面とともに次の事項が記載されている（下線は，当審で付加した。以下同様。）。
（ア）「Technical Field
[1]　Apparatuses and methods consistent with the exemplary embodiments relate to a display apparatus and a method of controlling the same. More specifically, apparatuses and methods consistent with the exemplary embodiments relate to a display apparatus in which a plurality of screens are displayed in a display screen, and a method of controlling the same.
Background Art
[2]　According to an increase of content and user needs, a display apparatus receives content from a variety of sources and provides a user with a variety of pieces of content. As the amount of content provided to the display apparatus increases, the display apparatus needs to provide a plurality of screens in order to search for a piece of content from among lots of content.
[3]　A display apparatus in the related art provided a main screen and an additional screen such as a picture-in-picture (PIP) screen, using a plurality of screens. However, since the main screen is obstructed by the PIP screen, which is the additional screen, in the display apparatus in the related art, it is not easy for a user to view the main screen and the PIP screen.
[4]　Further, the display apparatus in the related art may not move the PIP screen, if ever, and may only display the PIP in a location specified by the user. In addition, the display apparatus in the related art has a difficulty of individually controlling the main screen and the PIP screen.
[5]　That is, it is necessary to find a method of more intuitively controlling the plurality of screens displayed on a display apparatus.
Disclosure of Invention
Technical Problem
（中略）
[7]　The exemplary embodiments provide a display apparatus configured to move a plurality of screens displayed in a display screen according to a user interaction, and more intuitively select content the user would like to watch among the plurality of screens, and a method of controlling the same.」
（当審訳：
技術分野
[1]　本発明は，ディスプレイ装置及びその制御方法に関し，より詳細には，１つのディスプレイ画面に複数のスクリーンをディスプレイすることができるディスプレイ装置及びその制御方法に関する。
背景技術
[2]　コンテンツの増加及びユーザのニーズにより，ディスプレイ装置は多様なソースからコンテンツの提供を受けてユーザに多様なコンテンツを提供している。ディスプレイ装置が提供されるコンテンツの量が増加するにつれ，ディスプレイ装置は大量のコンテンツの中からユーザが視聴しようとするコンテンツを探すために複数のスクリーンを提供する必要がある。
[3]　従来のディスプレイ装置は，複数のスクリーンでメインスクリーン及びＰＩＰスクリーンのような付加的なスクリーンを提供している。しかし，従来のディスプレイ装置は，付加的なスクリーンのＰＩＰスクリーンがメインスクリーンと重なり，ユーザがスムーズにメインスクリーン及びＰＩＰスクリーンを視聴することができなかった。
[4]　更に，従来のディスプレイ装置は，ＰＩＰスクリーンを移動することができないだけでなく，移動できるとしてもユーザによって予め指定された位置でしかディスプレイすることができなかった。なお，従来のディスプレイ装置は，ＰＩＰスクリーン及びメインスクリーンを個別的に制御しなければならないという不都合があった。
[5]　すなわち，ディスプレイ装置にディスプレイされた複数のスクリーンをより直観的に制御するための方策への模索が必要となった。
発明の開示
技術的課題
（中略）
[7]　例示的な実施形態は，ユーザの相互作用に従って表示画面に表示される複数の画面を移動し，ユーザが複数の画面の中から見たいコンテンツをより直感的に選択するように構成された表示装置，およびそれを制御する方法を提供する。）
（イ）「Advantageous Effects of Invention
[38]　As described above, 
by changing the location and size of the screen in accordance with the user interaction, the user may more intuitively and more entertainingly control the plurality of screens through a single display screen
（当審訳：
発明の有利な効果
[38]　以上説明したように，
ユーザの操作に応じて画面の位置およびサイズを変更することにより，ユーザは，単一のディスプレイ画面を介して複数の画面をより直感的かつより面白く制御することができる
（ウ）「[52]　
The display apparatus 100 may be embodied as a digital TV
However, the exemplary embodiments are not limited thereto, and implemented as various types of apparatuses including a display function
（当審訳：
[52]　
ディスプレイ装置
は，
デジタルテレビで実現されてよいが，それに限定されるものではなく，
ディスプレイ機能を備えた多様な装置で実現されてよい
（エ）「[54]　In particular, 
the display apparatus
may display a plurality of screens for playing a plurality of pieces of content in a single display screen according to a user command
[55]　FIGS. 2 and 3 are block diagrams showing a configuration of a display apparatus according to an exemplary embodiment.
[56]　Referring to FIG. 2, 
a display apparatus 100 includes a display 110, an audio output 120, a user interface 130, and a controller 140
[57]　The display 110 outputs video data or a user interface (UI), which is received from the outside or is pre-stored, under the control of the controller 140. In particular, the display 110 may display a plurality of screens configured to play a plurality of pieces of content in a single display screen according to a preset user command. In this case, the plurality of screens can be overlapped in a preset shape (such as rectangle, trapezoid, etc.) or disposed separately on one display screen. In particular, the plurality of screens can be disposed to have a different viewing angle, and in response to a user’s viewing angle changing, location of the plurality of screens can move in accordance with the changed viewing angle. In this case, a 2D image can be displayed on each of the plurality of screens, but this is merely exemplary, and a 3D image can be displayed on each of the plurality of screens.
[58]　According to an exemplary embodiment, 
the display 110 may display a first screen, a second screen, and a third screen
the second screen may occupy the largest ratio in the center of the display screen, the first screen may be displayed in a left side of the second screen, and the third screen may be displayed in a right side of the second screen
the first screen and the third screen may have a trapezoid shape, and therefore a different viewing angle from the second screen
since the first screen and the third screen have trapezoid shapes to the left and right of the second screen and have different viewing angles, a user may obtain an effect as if he/she were viewing the first to third screens in a three dimensional space
[59]　In particular, 
one of the first to third screens may be set as a main screen. The main screen may be a screen configured to display content which the user would like to mainly see, and occupying the largest ratio on the display screen among the plurality of screens
an audio of the main screen may be output with the largest level in the display apparatus 100
[60]　In addition, 
the screens except for the main screen among the first to third screens may be set as subscreens
The subscreen refers to a screen configured to display other pieces of content in addition to the main screen, and occupies a smaller ratio than the main screen on the display screen
an audio of the subscreen may not be output, or may be output with a level of a predetermined value or less depending on the ratio of the subscreen on the display screen
[61]　In addition, 
the main screen and the subscreen may travel depending on a preset user interaction, and may change at least one of their location, size, and form
the main screen and the subscreen may be interchanged with each other
（当審訳： 
[54]　特に，
ディスプレイ装置１００は，ユーザ命令に応じて１つのディスプレイ画面に複数のコンテンツを再生するための複数のスクリーンをディスプレイすることができ
[55]　図２及び図３は，本発明の一実施形態に係るディスプレイ装置の構成を示すブロック図である。
[56]　図２によると，
ディスプレイ装置１００は，ディスプレイ部１１０と，オーディオ出力部１２０と，ユーザインターフェース部１３０及び制御部１４０を含
[57]　ディスプレイ部１１０は，制御部１４０の制御により，外部から受信されるか，予め保存された映像データまたはＵＩを出力する。特に，
ディスプレイ部１１０は，ユーザの予め設定された命令に応じて，１つのディスプレイ画面に複数のコンテンツを再生するための複数のスクリーンをディスプレイすることができ
[58]　本発明の一実施形態によると，
ディスプレイ部１１０は，第１スクリーン，第２スクリーン，第３スクリーンをディスプレイすることができる。このとき，第２スクリーンをディスプレイ画面の真ん中の最も高い割合を占めており，第１スクリーンは，第２スクリーンの左側にディスプレイされ，第３スクリーンは，第２スクリーンの右側にディスプレイされ
第１スクリーン及び第３スクリーンは台形であって，第２スクリーンとは異なる視聴角度（ｖｉｅｗｉｎｇ　ａｎｇｌｅ）を有して
第１スクリーン及び第３スクリーンが，第２スクリーンの左側及び右側に台形を有し，異なる視聴角度を有することで，ユーザは３次元空間上で第１スクリーンないし第３スクリーンを視聴できるような効果を得ることができ
[59]　特に，
第１ないし第３スクリーンのうちの１つは，メインスクリーンに設定されてよい
メインスクリーンは，ユーザが主に視聴するためのコンテンツをディスプレイするためのスクリーンとして，複数のスクリーンのうちディスプレイ画面で最も高い割合を占めているスクリーンである
メインスクリーンのオーディオは，ディスプレイ装置１００で最も高いレベルで出力されてよい
[60]　なお，
第１ないし第３スクリーンのうち，メインスクリーンを除く残りのスクリーンはサブスクリーンに設定されてよい
サブスクリーンは，メインスクリーン以外に他のコンテンツをディスプレイするためのスクリーンとして，ディスプレイ画面でメインスクリーンより低い割合を占めている
サブスクリーンのオーディオは出力されないか，ディスプレイ画面で占める割合に応じて予め設定された値以下のレベルで出力されてよい
[61]　なお，
メインスクリーン及びサブスクリーンは，予め設定されたユーザインタラクションに応じて移動されて，位置，大きさ及び形のうち少なくとも１つが変更されてよく，メインスクリーンとサブスクリーンとが相互入れ替わってもよい
（オ）「[66]　The controller 140 may control the overall operation of the display apparatus 100. In particular, 
in response to the preset user interaction being detected through the user interface 130, the controller 140 may control the display 110 to move the first to third screens according to the preset user interaction
the controller 140 may control the audio output 120 to change the audio output of at least one of the first to third screens in order to correspond to the movement of the plurality of screens
[67]　In an exemplary embodiment, 
in response to the preset user interaction being the user’s head rotation interaction, the controller 140 may detect the user’s head rotation, and control the display 110 to move the first to third screens according to the direction of the detected user’s head rotation
the controller 140 may determine a screen the user would like to view by detecting the direction of the user’s head rotation, and increase a ratio of the screen the user would like to view on the display screen
in response to a detection through the user interface 130 that the user’s head rotates in a right direction, the controller 140 may control the display 110 in such a way that the first to third screens moves in a left direction to increase the ratio of the third screen, which is located on a right side, in the display screen
in response to a detection through the user interface 130 that the user’s head rotates in the left direction, the controller 140 may control the display 110 to increase the ratio of the first screen, which is located on a left side on the display screen by moving the first to third screens to the right
 [68]　In addition, the controller 140 may determine the amount of the movement of the first to third screens in accordance with a rotation angle of the user’s head, and move the first to third screens on a real-time basis. That is, the controller 140 may detect the user’s head rotation on a real-time basis, and move the first to third screens on a real-time basis in accordance with the rotation angle of the user’s head. Accordingly, since the user can move the screen in accordance with a direction at which he/she looks, the user may more intuitively select a screen to see content.
[69]　In addition, the controller 140 may set the subscreen to be a new main screen in response to the rotation angle of a user’s head being detected as being greater than a preset value. Specifically, 
in response to the rotation angle of the user’ head being detected as being greater than the preset value while the user’s head moves in the right direction, the controller 140 may set the third screen which was set as the subscreen, to be the new main screen
the third screen newly set as a main screen may occupy the largest ratio on the display screen, and
an audio of the third screen may be output from the display apparatus 100
in response to the rotation angle of the user’ head being detected as being greater than the preset value while the user’s head moves to the left, the controller 140 may set the first screen which was set as the subscreen, to be a new main screen
the first screen newly set as a main screen may occupy the largest ratio on the display screen, and
an audio of the first screen may be output from the display apparatus 100
（当審訳：
[66]　
制御部１４０は，ディスプレイ装置１００の動作全般を制御する機能を担う
ユーザインターフェース部１３０を介して予め設定されたユーザインタラクションが検知されると，制御部１４０は予め設定されたユーザインタラクションに応じて第１スクリーンないし第３スクリーンを移動するようにディスプレイ部１１０を制御することができ
制御部１４０は，複数のスクリーンの移動に対応するように第１スクリーンないし第３スクリーンのうち少なくとも１つのスクリーンのオーディオ出力を変更するようにオーディオ出力部１２０を制御することができ
[67]　本発明の一実施形態において，
予め設定されたユーザインタラクションがユーザの頭部回転インタラクションである場合，制御部１４０はユーザの頭部回転を検知し，検知したユーザの頭部回転の方向に応じて第１スクリーンないし第３スクリーンを移動するようにディスプレイ部１１０を制御することができ
制御部１４０は，ユーザの頭部回転の方向を検知してユーザが視聴しようとするスクリーンを判断し，ユーザが視聴しようとするスクリーンがディスプレイ画面で占める割合を増加させることができ
ユーザインターフェース部１３０を介してユーザの頭部が右方に回転したと検知された場合，制御部１４０は第１スクリーンないし第３スクリーンを左側に移動して右側に位置する第３スクリーンがディスプレイ画面を占める割合を増加させるようにディスプレイ部１１０を制御する
ユーザインターフェース部１３０を介してユーザの頭部が左方に回転したと検知された場合，制御部１４０は第１スクリーンないし第３スクリーンを右側に移動して右側に位置した第１スクリーンがディスプレイ画面を占める割合を増加させるようにディスプレイ部１１０を制御する
[68]　なお，制御部１４０は，検知されたユーザの頭部回転の角度に応じて，第１スクリーンないし第３スクリーンの移動量を判断して第１スクリーンないし第３スクリーンをリアルタイムで移動することができる。すなわち，制御部１４０は，リアルタイムでユーザの頭部回転を検知し，頭部回転角度に応じて第１スクリーンないし第３スクリーンをリアルタイムで移動させることができる。それにより，ユーザは自らの眺める方向に応じてスクリーンを移動させることができ，より直観的にスクリーンを選択してコンテンツを視聴することができるようになる。
[69]　なお，制御部１４０は，ユーザの頭部回転角度が予め設定された値以上で検知された場合，既存のサブスクリーンを新たなメインスクリーンに設定することができる。具体的に，
ユーザの頭部が右側に移動する間にユーザの頭部回転角度が予め設定された値以上で検知された場合，制御部１４０は従来サブスクリーンに設定された第３スクリーンを新たなメインスクリーンに設定する
新たにメインスクリーンに設定された第３スクリーンはディスプレイ画面で最も高い割合を占め，それにより，第３スクリーンのオーディオがディスプレイ装置１００から出力され
ユーザの頭部が左側に移動する間にユーザの頭部回転角度が予め設定された値以上で検知された場合，制御部１４０は従来サブスクリーンに設定された第１スクリーンを新たなメインスクリーンに設定する
新たにメインスクリーンに設定された第１スクリーンはディスプレイ画面で最も高い割合を占め，それにより，第１スクリーンのオーディオがディスプレイ装置１００から出力され
（カ）「[103]　
The controller 
 may control the overall operation of the display apparatus
using a variety of program
The controller 
may include a RAM 291, a ROM 292, a graphic processor 293, a main CPU 294
[104]　The ROM 292 may store a command set for system-booting, etc. In response to a turn-on command being input and power being supplied, the main CPU 294 may copy O/S stored in the storage 250 to the RAM 291 in accordance with a command stored in the ROM 292, and boot the system by running the O/S. In response to the booting procedure being completed, 
the main CPU 294 may copy a variety of application program
to the RAM 291, and perform a variety of operations by running the application program copied to the RAM 291
（当審訳：
[103]　
制御部
は，
各種プログラムを用いてディスプレイ装置
の動作全般を制御してもよい
制御部
は，
ＲＡＭ２９１，ＲＯＭ２９２，グラフィック処理部２９３，メインＣＰＵ２９４
を含む
 [104]　ＲＯＭ２９２は，システムブートのための命令語セット等が保存される。ターンオン命令が入力されて電源が供給されると，メインＣＰＵ２９４は，ＲＯＭ２９２に保存された命令語に応じて保存部２５０に保存されたＯ／ＳをＲＡＭ２９１にコピーし，Ｏ／Ｓを実行させてシステムをブートさせる。ブートが完了すると，
メインＣＰＵ２９４は
各種アプリケーションプログラムをＲＡＭ２９１にコピーし，ＲＡＭ２９１にコピーされたアプリケーションプログラムを実行させて各種動作を行ってもよい
（キ）　「[148]　Meanwhile, although it is described that only parts of the first screen and the third screen, which are the subscreen, are displayed, this is only an exemplary embodiment, and 
the entirety of the first screen and third screen may be displayed
（当審訳：
[148]　一方，上述の実施形態においては，サブスクリーンである第１スクリーン及び第３スクリーンがスクリーンの一部領域のみがディスプレイされるものとして説明したが，それは一実施形態に過ぎず，
第１スクリーン及び第３スクリーンの全領域が全てディスプレイされてよい
（ク）　上記（イ）〜（キ）より，引用文献１の，特に下線を付加した記載に着目すると，引用文献１には，以下の発明（以下，「引用発明」という。）が記載されていると認められる。
「ユーザの操作に応じて画面の位置およびサイズを変更することにより，ユーザは，単一のディスプレイ画面を介して複数の画面をより直感的かつより面白く制御することができるディスプレイ装置において，
　ディスプレイ装置は，デジタルテレビで実現されてよいが，それに限定されるものではなく，ディスプレイ機能を備えた多様な装置で実現されてよく，
　ディスプレイ装置１００は，ユーザ命令に応じて１つのディスプレイ画面に複数のコンテンツを再生するための複数のスクリーンをディスプレイすることができ，
　ディスプレイ装置１００は，ディスプレイ部１１０と，オーディオ出力部１２０と，ユーザインターフェース部１３０及び制御部１４０を含んでおり，
　ディスプレイ部１１０は，ユーザの予め設定された命令に応じて，１つのディスプレイ画面に複数のコンテンツを再生するための複数のスクリーンをディスプレイすることができ，
　ディスプレイ部１１０は，第１スクリーン，第２スクリーン，第３スクリーンをディスプレイすることができ，第２スクリーンをディスプレイ画面の真ん中の最も高い割合を占めており，第１スクリーンは，第２スクリーンの左側にディスプレイされ，第３スクリーンは，第２スクリーンの右側にディスプレイされ，第１スクリーン及び第３スクリーンは台形であって，第２スクリーンとは異なる視聴角度（ｖｉｅｗｉｎｇ　ａｎｇｌｅ）を有しており，第１スクリーン及び第３スクリーンが，第２スクリーンの左側及び右側に台形を有し，異なる視聴角度を有することで，ユーザは３次元空間上で第１スクリーンないし第３スクリーンを視聴できるような効果を得ることができ，
　第１ないし第３スクリーンのうちの１つは，メインスクリーンに設定されてよく，メインスクリーンは，ユーザが主に視聴するためのコンテンツをディスプレイするためのスクリーンとして，複数のスクリーンのうちディスプレイ画面で最も高い割合を占めているスクリーンであり，メインスクリーンのオーディオは，ディスプレイ装置１００で最も高いレベルで出力されてよく，
　第１ないし第３スクリーンのうち，メインスクリーンを除く残りのスクリーンはサブスクリーンに設定されてよく，サブスクリーンは，メインスクリーン以外に他のコンテンツをディスプレイするためのスクリーンとして，ディスプレイ画面でメインスクリーンより低い割合を占めており，サブスクリーンのオーディオは出力されないか，ディスプレイ画面で占める割合に応じて予め設定された値以下のレベルで出力されてよく，
　メインスクリーン及びサブスクリーンは，予め設定されたユーザインタラクションに応じて移動されて，位置，大きさ及び形のうち少なくとも１つが変更されてよく，メインスクリーンとサブスクリーンとが相互入れ替わってもよく，
　制御部１４０は，ディスプレイ装置１００の動作全般を制御する機能を担っており，ユーザインターフェース部１３０を介して予め設定されたユーザインタラクションが検知されると，制御部１４０は予め設定されたユーザインタラクションに応じて第１スクリーンないし第３スクリーンを移動するようにディスプレイ部１１０を制御することができ，制御部１４０は，複数のスクリーンの移動に対応するように第１スクリーンないし第３スクリーンのうち少なくとも１つのスクリーンのオーディオ出力を変更するようにオーディオ出力部１２０を制御することができ，
　予め設定されたユーザインタラクションがユーザの頭部回転インタラクションである場合，制御部１４０はユーザの頭部回転を検知し，検知したユーザの頭部回転の方向に応じて第１スクリーンないし第３スクリーンを移動するようにディスプレイ部１１０を制御することができ，制御部１４０は，ユーザの頭部回転の方向を検知してユーザが視聴しようとするスクリーンを判断し，ユーザが視聴しようとするスクリーンがディスプレイ画面で占める割合を増加させることができ，ユーザインターフェース部１３０を介してユーザの頭部が右方に回転したと検知された場合，制御部１４０は第１スクリーンないし第３スクリーンを左側に移動して右側に位置する第３スクリーンがディスプレイ画面を占める割合を増加させるようにディスプレイ部１１０を制御し，ユーザインターフェース部１３０を介してユーザの頭部が左方に回転したと検知された場合，制御部１４０は第１スクリーンないし第３スクリーンを右側に移動して右側に位置した第１スクリーンがディスプレイ画面を占める割合を増加させるようにディスプレイ部１１０を制御しており，
　ユーザの頭部が右側に移動する間にユーザの頭部回転角度が予め設定された値以上で検知された場合，制御部１４０は従来サブスクリーンに設定された第３スクリーンを新たなメインスクリーンに設定し，新たにメインスクリーンに設定された第３スクリーンはディスプレイ画面で最も高い割合を占め，それにより，第３スクリーンのオーディオがディスプレイ装置１００から出力され，
　ユーザの頭部が左側に移動する間にユーザの頭部回転角度が予め設定された値以上で検知された場合，制御部１４０は従来サブスクリーンに設定された第１スクリーンを新たなメインスクリーンに設定し，新たにメインスクリーンに設定された第１スクリーンはディスプレイ画面で最も高い割合を占め，それにより，第１スクリーンのオーディオがディスプレイ装置１００から出力され，
　制御部は，各種プログラムを用いてディスプレイ装置の動作全般を制御してもよく，制御部は，ＲＡＭ２９１，ＲＯＭ２９２，グラフィック処理部２９３，メインＣＰＵ２９４などを含み，メインＣＰＵ２９４は各種アプリケーションプログラムをＲＡＭ２９１にコピーし，ＲＡＭ２９１にコピーされたアプリケーションプログラムを実行させて各種動作を行ってもよく，
　第１スクリーン及び第３スクリーンの全領域が全てディスプレイされてよい
ディスプレイ装置におけるアプリケーションプログラム。」
ウ　周知技術
　原査定において，周知技術を示す文献として提示された特開２０１２−０４３１９５号公報には，以下の記載がある。
（ア）「【技術分野】
【０００１】
　本発明は，情報処理装置，情報処理方法およびプログラムに関し，特に，ユーザの身体の動きに基づく操作指示を取得する情報処理装置，情報処理方法およびプログラムに関する。」
（イ）「【発明の効果】
【００２１】
　以上説明したように本発明によれば，表示されるオブジェクトに対して，ユーザが自然な身体の動きによって所望の操作指示を与えられるようにすることができる。」
（ウ）「【００２６】
　図１は，本発明の第１ の実施形態に係る情報処理装置１００の概略的な構成を示す図である。図１を参照すると，情報処理装置１００は，表示画面２００に，仮想的な３次元空間２１０と，仮想的な３次元空間２１０に配置されるオブジェクト２２０とを表示させる。ユーザＵは，身体の特定部分Ｐ１を動かし，その動きＭは，情報処理装置１００の取得部１１０によって操作として取得される。情報処理装置１００は，取得された操作に基づいて，オブジェクト２２０に対する処理を実行する。
【００２７】
　情報処理装置１００は，例えばＰＣなどの装置でありうる。情報処理装置１００は，取得部１１０を有する。情報処理装置１００は，図示されているように，取得部１１０，および表示画面２００と一体であってもよいし，また別体であってもよい。また，情報処理装置１００は，取得部１１０および表示画面２００に接続されたネットワーク上のサーバが提供する機能として実現されてもよい。なお，情報処理装置１００の機能構成については後述する。
【００２８】
　表示画面２００は，例えばＬＣＤ（Liquid　Crystal　Display），ＰＤＰ（Plasma　Display　Panel），または有機ＥＬ（Electro-Luminescence）パネルなどに映像を表示する装置でありうる。
表示画面２００は，
情報処理装置１００と一体であってもよいし，また別体であってもよい
表示画面２００には，仮想的な３次元空間２１０と，仮想的な３次元空間２１０に配置されるオブジェクト２２０とが表示される。表示画面２００は，例えばヘッドマウントディスプレイ等の他の表示装置によって代替されてもよい。
（エ）「【００４１】
　
オブジェクト２２０は，仮想的な３次元空間２１０に表示される，
音楽もしくは映像などのコンテンツ
である。
（オ）　特に，上記（ウ）の下線部に着目すると，仮想的な３次元空間内に表示される，音楽もしくは映像などのコンテンツであるオブジェクトを表示する表示画面（情報処理装置と一体または別体）に代替される表示装置として，ヘッドマウント・ディスプレイが，本願出願前に周知であったと認められる。
エ　対比
　本件補正発明と，引用発明とを対比する。
（ア）引用発明において「ディスプレイ部１１０は，ユーザの予め設定された命令に応じて，１つのディスプレイ画面に複数のコンテンツを再生するための複数のスクリーンをディスプレイすることができ，」「ディスプレイ部１１０は，第１スクリーン，第２スクリーン，第３スクリーンをディスプレイすることができ，第２スクリーンをディスプレイ画面の真ん中の最も高い割合を占めており，第１スクリーンは，第２スクリーンの左側にディスプレイされ，第３スクリーンは，第２スクリーンの右側にディスプレイされ，第１スクリーン及び第３スクリーンは台形であって，第２スクリーンとは異なる視聴角度（ｖｉｅｗｉｎｇ　ａｎｇｌｅ）を有しており，第１スクリーン及び第３スクリーンが，第２スクリーンの左側及び右側に台形を有し，異なる視聴角度を有することで，ユーザは３次元空間上で第１スクリーンないし第３スクリーンを視聴できるような効果を得ることができ」るとされている。
　ここで，引用発明において「１つのディスプレイ画面に複数のコンテンツを再生するための複数のスクリーンをディスプレイ」して「ユーザは３次元空間上で第１スクリーンないし第３スクリーンを視聴できるような効果を得ることができ」ることは，本件補正発明の「３次元仮想空間に配置された複数のコンテンツを，」「ディスプレイに表示する」ことに対応するといえる。
　さらに，引用発明において「ディスプレイ装置は，デジタルテレビで実現されてよいが，それに限定されるものではなく，ディスプレイ機能を備えた多様な装置で実現されてよ」いとされており，「デジタルテレビ」は，非透過型の「ディスプレイ装置」であるといえるから，本件補正発明と，引用発明とは，「３次元仮想空間に配置された複数のコンテンツを，」「非透過型の」「ディスプレイに表示」している点で共通しているといえる。
　また，引用発明は「制御部は，各種プログラムを用いてディスプレイ装置の動作全般を制御してもよく，制御部は，ＲＡＭ２９１，ＲＯＭ２９２，グラフィック処理部２９３，メインＣＰＵ２９４などを含み，メインＣＰＵ２９４は各種アプリケーションプログラムをＲＡＭ２９１にコピーし，ＲＡＭ２９１にコピーされたアプリケーションプログラムを実行させて各種動作を行ってもよいディスプレイ装置におけるアプリケーションプログラム」であり，「制御部は，ＲＡＭ２９１，ＲＯＭ２９２，グラフィック処理部２９３，メインＣＰＵ２９４などを含み，メインＣＰＵ２９４は各種アプリケーションプログラムをＲＡＭ２９１にコピーし，ＲＡＭ２９１にコピーされたアプリケーションプログラムを実行させて各種動作を行」うことから，引用発明の「制御部」および「各種アプリケーションプログラム」は，それぞれ，本件補正発明の「コンピュータ」および「プログラム」に対応するといえる。ここで，「プログラム」が各種処理を制御部（コンピュータ）に実行させるための処理「ステップ」を含むことは，技術常識であって，表示処理を行うステップを「表示ステップ」と称することは任意である。
　したがって，本件補正発明と，引用発明とは，「３次元仮想空間に配置された複数のコンテンツを，」「非透過型の」「ディスプレイに表示するステップ」「をコンピュータに実行させ」る「プログラム」である点で共通しているといえる。
　しかし，本件補正発明のディスプレイが，「ユーザの頭部に装着された非透過型のヘッドマウント・ディスプレイ」であるのに対して，引用発明のディスプレイが，「ユーザの頭部に装着された」「ヘッドマウント・ディスプレイ」でない点で相違している。
（イ）引用発明において「１つのディスプレイ画面に複数のコンテンツを再生するための複数のスクリーンをディスプレイ」しており，「ユーザの頭部が右側に移動する間にユーザの頭部回転角度が予め設定された値以上で検知された場合，制御部１４０は従来サブスクリーンに設定された第３スクリーンを新たなメインスクリーンに設定し，」「ユーザの頭部が左側に移動する間にユーザの頭部回転角度が予め設定された値以上で検知された場合，制御部１４０は従来サブスクリーンに設定された第１スクリーンを新たなメインスクリーンに設定し」ている。
　ここで，引用発明において「メインスクリーンに設定」されたスクリーンで「再生」されている「コンテンツ」が「選択」された「コンテンツ」であるといえる。
　したがって，本件補正発明と，引用発明とは，「ユーザの頭部の動きに応じて，前記複数のコンテンツの内１つを選択するステップ」「をコンピュータに実行させ」ている点で共通しているといえる。
（ウ）引用発明において「１つのディスプレイ画面に複数のコンテンツを再生するための複数のスクリーンをディスプレイ」しており，「ユーザの頭部が右側に移動する間にユーザの頭部回転角度が予め設定された値以上で検知された場合，制御部１４０は従来サブスクリーンに設定された第３スクリーンを新たなメインスクリーンに設定し，新たにメインスクリーンに設定された第３スクリーンはディスプレイ画面で最も高い割合を占め，それにより，第３スクリーンのオーディオがディスプレイ装置１００から出力され，ユーザの頭部が左側に移動する間にユーザの頭部回転角度が予め設定された値以上で検知された場合，制御部１４０は従来サブスクリーンに設定された第１スクリーンを新たなメインスクリーンに設定し，新たにメインスクリーンに設定された第１スクリーンはディスプレイ画面で最も高い割合を占め，それにより，第１スクリーンのオーディオがディスプレイ装置１００から出力され」ている。
　ここで，引用発明において「メインスクリーンに設定」されたスクリーンで「再生」されている「コンテンツ」が「選択されたコンテンツ」であり，「新たにメインスクリーンに設定された」「コンテンツ」の「オーディオがディスプレイ装置１００から出力され」ることは，「オーディオ出力を有効化して再生する」ことに他ならないといえる。
　したがって，本件補正発明と，引用発明とは，「選択されたコンテンツを，オーディオ出力を有効化して再生するステップ」「をコンピュータに実行させ」ている点で共通しているといえる。
（エ）引用発明において「第１ないし第３スクリーンのうち，メインスクリーンを除く残りのスクリーンはサブスクリーンに設定されてよく，サブスクリーンは，メインスクリーン以外に他のコンテンツをディスプレイするためのスクリーンとして，ディスプレイ画面でメインスクリーンより低い割合を占めており，サブスクリーンのオーディオは出力されないか，ディスプレイ画面で占める割合に応じて予め設定された値以下のレベルで出力されてよ」いとされている。
　ここで，引用発明の「メインスクリーン以外に他のコンテンツをディスプレイするためのスクリーン」である「サブスクリーン」で再生されている「コンテンツ」は，本件補正発明の「複数のコンテンツの内選択されていないコンテンツ」に対応するといえる。
　また，引用発明の「サブスクリーンのオーディオは出力されないか，ディスプレイ画面で占める割合に応じて予め設定された値以下のレベルで出力され」ることは，本件補正発明の「オーディオ出力の再生が制限されて」いることに対応するといえる。
　したがって，本件補正発明と，引用発明とは，「複数のコンテンツの内選択されていないコンテンツは，オーディオ出力の再生が制限されて」ている点で共通しているといえる。
（オ）引用発明において「１つのディスプレイ画面に複数のコンテンツを再生するための複数のスクリーンをディスプレイ」して「ユーザは３次元空間上で第１スクリーンないし第３スクリーンを視聴できるような効果を得ることができ」，「第１スクリーン及び第３スクリーンの全領域が全てディスプレイされてよい」とされている。
　ここで，引用発明の「複数のコンテンツを再生するための複数のスクリーン」である「第１スクリーン及び第３スクリーンの全領域が全てディスプレイされ」ることは，本件補正発明の「複数のコンテンツは，少なくとも２以上のコンテンツの全体が」「ディスプレイに表示できる」ことに対応するといえる。
　また，上述したように，引用発明において「１つのディスプレイ画面に複数のコンテンツを再生するための複数のスクリーンをディスプレイ」して「ユーザは３次元空間上で第１スクリーンないし第３スクリーンを視聴できるような効果を得ることができ」ることは，本件補正発明の「３次元仮想空間に配置された複数のコンテンツを，」「ディスプレイに表示する」ことに対応するといえる。
　したがって，本件補正発明と引用発明とは，「複数のコンテンツは，少なくとも２以上のコンテンツの全体が前記」「ディスプレイに表示できるように前記３次元仮想空間に配置されている」点で共通しているといえる。
オ　一致点および相違点
　本件補正発明と，引用発明とは，以下（ア）の点で一致し，以下（イ）の点で相違する。
（ア）一致点
「３次元仮想空間に配置された複数のコンテンツを，非透過型のディスプレイに表示するステップと，
　ユーザの頭部の動きに応じて，前記複数のコンテンツの内１つを選択するステップと，
　前記選択されたコンテンツを，オーディオ出力を有効化して再生するステップと，
をコンピュータに実行させ，
　前記複数のコンテンツの内選択されていないコンテンツは，オーディオ出力の再生が制限されており，
　前記複数のコンテンツは，少なくとも２以上のコンテンツの全体が前記ディスプレイに表示できるように前記３次元仮想空間に配置されている，プログラム。」
（イ）相違点
　本件補正発明のディスプレイが，「ユーザの頭部に装着された非透過型のヘッドマウント・ディスプレイ」であるのに対して，引用発明のディスプレイが，「ユーザの頭部に装着された」「ヘッドマウント・ディスプレイ」でない点。
カ　相違点についての判断
　引用発明において，「ディスプレイ装置は，デジタルテレビで実現されてよいが，それに限定されるものではなく，ディスプレイ機能を備えた多様な装置で実現されてよ」いとされており，「デジタルテレビ」以外の「ディスプレイ機能を備えた多様な装置で実現」することが示唆されている。
　また，引用発明の「デジタルテレビで実現され」た「ディスプレイ装置」が非透過型であることは明らかである。
　さらに，上記ウ（オ）で認定したように，仮想的な３次元空間内に表示される，音楽もしくは映像などのコンテンツであるオブジェクトを表示する表示画面（情報処理装置と一体または別体）に代替される表示装置として，ヘッドマウント・ディスプレイが，本願出願前に周知であったと認められる。
　ここで，ヘッドマウント・ディスプレイとして，透過型と非透過型が存在し，透過型のヘッドマウント・ディスプレイは，一般に，透過してきた視覚情報に画像情報を重畳して表示する必要のあるＡＲ（拡張現実感）や，ＭＲ（複合現実感）の技術分野に用いられるものであり，一方，非透過型のヘッドマウント・ディスプレイは，透過してきた視覚情報に画像情報を重畳して表示する必要のない，仮想的な３次元空間表示であるＶＲ（仮想現実感）の技術分野に用いられるものであることは，いずれも，技術常識である。
　したがって，引用発明において，上記周知技術を適用して，仮想的な３次元空間内にコンテンツを表示するデジタルテレビ等のディスプレイの代替として周知の非透過型ヘッドマウント・ディスプレイを採用し，「ユーザの頭部に装着された非透過型のヘッドマウント・ディスプレイ」という相違点に係る本件補正発明の構成とすることは，当業者が容易に想到し得たものである。
　また，引用発明において，当該相違点に係る本件補正発明の構成を採用することによる効果も，当業者が容易に想到しうる範囲内のものに過ぎない。
　よって，本件補正発明は，特許法第２９条第２項の規定により，特許を受けることができない。
キ　請求人の主張について
　請求人は，審判請求書において，「非透過型のヘッドマウント・ディスプレイ」では少なくとも、外部からユーザの顔を検出できないから，引用発明に「非透過型のヘッドマウント・ディスプレイ」を組み合わせることができない旨主張（主張（ア））し，さらに，引用文献４に記載されているのは，透過型のヘッドマウント・ディスプレイであるから，引用文献３，４には、本願発明１の「３次元仮想空間に配置された複数のコンテンツを、ユーザの頭部に装着された非透過型のヘッドマウント・ディスプレイに表示する」構成については一切記載も示唆もされておらず，引用発明に，「非透過型のヘッドマウント・ディスプレイ」を適用する動機付けなど存在しない旨主張（主張（イ））している。
（ア）主張（ア）について
　仮想的な３次元空間表示であるＶＲ（仮想現実感）において代替的なディスプレイ装置として用いられる非透過型のヘッドマウント・ディスプレイでは，非透過型のヘッドマウント・ディスプレイ自体に角速度センサー等のセンサーを備えて，ユーザ頭部の向き等を検出し，検出されたユーザ頭部の向きに応じた仮想的な３次元空間表示を行うことが技術常識である（必要であれば，特開平１１−２１１４８０号公報，特開２０１０−２３１２９０号公報などを参照されたい。）。このように，ユーザ頭部の向きを検出するためのセンサーは，非透過型のヘッドマウント・ディスプレイであっても，引用文献４に記載の透過型のヘッドマウント・ディスプレイであっても，ヘッドマウント・ディスプレイが備える一般的構成にすぎない。
　したがって，引用発明において，仮想的な３次元空間内にコンテンツを表示するデジタルテレビ等のディスプレイの代替として周知の非透過型ヘッドマウント・ディスプレイを採用する際に，ユーザ頭部の向きを検出する際に，外部からユーザの顔を検出する必要はなく，非透過型ヘッドマウント・ディスプレイが一般的に備えている角速度センサー等のセンサーを用いて，ユーザ頭部の向き等を検出すればよいから，上記請求人主張（ア）は採用できない。
（イ）主張（イ）について
　引用発明の仮想的な３次元空間内にコンテンツを表示するデジタルテレビ等のディスプレイは，「非透過型の」ディスプレイであるから，そのディスプレイを「ヘッドマウント・ディスプレイ」に置換する際には，仮想的な３次元空間表示であるＶＲ（仮想現実感）において代替的に用いられる「非透過型のヘッドマウント・ディスプレイ」に置換することは，当業者にとって合理的であるといえる。
　一方，上述したように，透過型のヘッドマウント・ディスプレイは，一般に，透過してきた視覚情報に画像情報を重畳して表示する必要のあるＡＲ（拡張現実感）や，ＭＲ（複合現実感）の技術分野に用いられるものであり，引用発明のような，（透過してきた視野に対して画像重畳して表示する必要のない）３次元仮想空間表示（ＶＲ：仮想現実感）のためのディスプレイとして用いられるものではないから，引用発明のデジタルテレビ等のディスプレイの代替として，透過型のヘッドマウント・ディスプレイを採用することは不自然である。
　したがって，請求人の上記主張（イ）も採用できない。
（３）小活
　したがって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明について
１．本願発明
　上述のとおり，令和２年５月１３日の手続補正は却下されたので，本願の請求項に係る発明は，令和２年３月１７日の手続補正により補正された特許請求の範囲の請求項１−３の記載により特定されるものであるところ，その請求項１に係る発明（以下，「本願発明」という）は，上記第２の１．（１）に記載されたとおりのものである。
２．刊行物に記載された発明
　引用文献１の記載事項及び引用発明は，上記第２の２．（２）「イ　引用発明」に記載したとおりであり，上記第２．（２）「ウ　周知技術」で述べたように，本願出願前に，仮想的な３次元空間内に表示される，音楽もしくは映像などのコンテンツであるオブジェクトを表示する表示装置として，ヘッドマウントディスプレイは，本願出願前に周知であったと認められる。
３．本願発明と引用発明との対比・判断
　本願発明は，上記第２の２（１）で述べたように，本件補正発明から，本件補正前の請求項１に記載した発明を特定するために必要な事項である「ヘッドマウント・ディスプレイ」について，「非透過型の」という限定を省いたものであるから，本願発明と引用発明とは，上記の省いた構成を除いて，上記第２の２．（２）「エ　対比」と同様に対比でき，本願発明と引用発明との一致点は，上記第２の２．（２）「オ　一致点および相違点」「（ア）一致点」で述べた本願補正発明と引用発明との一致点から，上記「非透過型の」との限定を除いたものとなり，本願発明は，本願補正発明と同様に，引用発明および周知技術に基づいて，当業者が容易に想到し得たものである。
　したがって，本願発明は，引用発明および周知技術に基づいて，当業者が容易に想到し得たものであるから，特許法第２９条第２項の規定により特許を受けることができない。
第４　むすび
　以上のとおりであるから，本願の請求項１に係る発明は，特許法第２９条第２項の規定により特許を受けることができない。
　したがって，本願は，その余の請求項について論及するまでもなく，拒絶すべきものである。
　よって，結論のとおり審決する。